(57)【要約】  本発明は、愛玩動物の全身にムラなく風が吐き出され、迅速な乾燥作業ができるとともに、乾燥過程において愛玩動物が受けるストレスを減らして乾燥作業が容易となるようにした愛玩動物用横流型乾燥装置を開示する。本発明は、吐出口及び吸入口が形成され、内部に加熱手段が設けられた本体ケースと、前記本体ケース内部に長手方向に沿って設けられて回転する横流ファンと、前記本体ケースが一定角度回動するように結合された据置台とで構成される。このような構成により、乾燥時間を短縮させ、乾燥作業が容易に行われるとともに、製造単価を低く抑え、使用者の経済的負担を減らすことができる。【選択図】図２
2011504109.tif 000002
【特許請求の範囲】
【請求項１】
愛玩動物の毛を乾燥するために風を吐き出す愛玩動物用乾燥装置であって、
吐出口及び吸入口が形成され、内部に加熱手段が設けられた本体ケースと、
前記本体ケース内部に長手方向に沿って設けられ、ファンモータによって回転する横流ファンと、
前記本体ケースを一定角度回動させることができる手動ノブが備えられ、前記本体ケースを一定した状態で支持する据置台とを含んでなることを特徴とする、
愛玩動物用乾燥装置。
【請求項２】
前記手動ノブの一側面には、内部に弾性支持され、外部に一部が露出されたテンションボールが設けられ、
前記据置台の一側面には、前記テンションボールが対応して安着されるように多数の係止め溝が一定間隔おきに形成されたことを特徴とする、請求項１に記載の愛玩動物用乾燥装置。
【請求項３】
愛玩動物の毛を乾燥するために風を吐き出す愛玩動物用乾燥装置であって、
送風吐出口と内部に加熱手段が備えられた本体ケースと、
前記本体ケースの内部に設けられ、ファンモータによって回転する回転ファンと、
前記本体ケースを自動又は手動で上下回動させることができるように回動支持手段が備えられ、前記本体ケースを一定した状態で支持する据置台とを含んでなることを特徴とする、
愛玩動物用乾燥装置。
【請求項４】
愛玩動物の毛を乾燥するために風を吐き出す愛玩動物用乾燥装置であって、
送風吐出口と内部に加熱手段が備えられた本体ケースと、
前記本体ケースの内部に設けられ、ファンモータによって回転する回転ファンと、
前記本体ケースを一定角度回動させることができるように前記本体ケースの一側面には外部に一部が露出されるようにテンションボールが設けられ、前記テンションボールが対応して安着されるように多数の係止め溝が一定間隔おきに形成された据置台とを含んでなることを特徴とする、愛玩動物用乾燥装置。
【請求項５】
前記本体ケースの一端には、前記本体ケースを自動で回動させるように設けられたスイングモータを更に含んでなることを特徴とする、請求項３又は４に記載の愛玩動物用乾燥装置。
【請求項６】
前記回転ファンは、前記本体ケースの内部に長手方向に沿って設けられて回転するシロッコファンであることを特徴とする、請求項３又は４に記載の愛玩動物用乾燥装置。
【請求項７】
前記回動支持手段は、
前記据置台の一側面内部に弾性支持され、外部に一部が露出されたテンションボールが設けられ、
前記本体ケースの一側面には、前記テンションボールが対応して安着されるように多数の係止め溝が一定間隔おきに形成され、手動で作動されることを特徴とする、請求項３に記載の愛玩動物用乾燥装置。
【請求項８】
前記据置台には、上下高さ、又は左右回転が可能な調節手段が備えられたことを特徴とする、請求項３又は４に記載の愛玩動物用乾燥装置。
【請求項９】
前記据置台には、電気的コントロール手段が備えられたことを特徴とする、請求項３又は４に記載の愛玩動物用乾燥装置。
【請求項１０】
前記据置台は、前記本体ケースを支持し、通風吸入口が備えられたブリッジ据置台と、前記電気的コントロール手段を内臓したフロアー据置台とからなることを特徴とする、請求項９に記載の愛玩動物用乾燥装置。
【請求項１１】
前記通風吸入口の前面には、抗菌フィルタが備えられたことを特徴とする。請求項１０に記載の愛玩動物用乾燥装置。
【発明の詳細な説明】
【技術分野】
【０００１】
本発明は、愛玩動物用乾燥装置に関するものであって、更に詳しくは、愛玩動物の全身にムラなく風が吐き出され、迅速な乾燥作業ができるとともに、乾燥過程において愛玩動物が受けるストレスを減らして乾燥作業が容易となるようにする愛玩動物用乾燥装置に関するものである。
【背景技術】
【０００２】
現在、多くの家庭で愛犬や猫のような愛玩動物を飼っているが、愛玩動物は人に楽しみは与えるものの、衛生管理、特に、周期的に洗わないと、病気になるか、悪臭の原因になる。そして、更に、愛玩動物から発生する毛および異物質などは、周囲環境を汚染させる要因になる。
【０００３】
従って、愛玩動物を飼う人は周期的に愛玩動物を洗わなければならないが、一般的に愛玩動物を洗うために、水が溜められた浴槽に入れ、愛玩動物の目や鼻、口に水が入らないように一方の手で愛玩動物を抑えもう一方の手で水を注ぐか、シャワー器具を用いて洗った後、愛玩動物の濡れた毛を乾燥させる過程を経る。
【０００４】
この際に、全身が毛で覆われている愛玩動物はシャワーの後、毛をきちんと早く乾かさないと、人より皮膚がずっと弱いため、よく皮膚病にかかるか、臭いが発生する要因になる。しかし、愛玩動物はシャワーの後、ドライするのを非常に嫌がる。これは、多くの場合、人専用のヘアドライヤーを使用するためであるが、その理由について説明すると、次のようである。
【０００５】
（１）手で持って使用する一般ヘアドライヤーはその重さのために小さいモータを採用し、高速で回転させて風を吹き出すため、人は聞けない超音波を含んだ非常にいらだたしくなる高い騒音が発生する。即ち、人より通常5倍以上の鋭敏な聴力を持つ愛玩動物にこのような騒音は、まさに恐怖を持たせるに充分なものである。
【０００６】
（２）人が使用するヘアドライヤーの吐出口の温度は概ね55℃前後で、高い。しかし、毛で覆われている愛玩動物の皮膚は弱いため、ヘアドライヤーから発生する高い温度の熱風を愛玩動物に直接浴びさせると、これは愛玩動物にものすごい痛みを与えることになる。特に若い愛玩動物の場合はさらに鋭敏で、一度ドライヤーの熱い熱風を経験すると、その記憶はそのまま残り、その後もヘアドライヤーで行われる乾燥作業を拒否する現象が発生する。これにより、使用者は愛玩動物のシャワー後の乾燥作業において困難さを感じる問題があった。
【０００７】
（３）一部の二重毛を有する愛玩動物の場合、一般ヘアドライヤーで部分的に熱を加えながら乾かす場合、毛髪の特性上、温風を浴びる部分と、浴びない部分の毛が不規則に伸びるか、乱れる。また、前記ヘアドライヤーは軸流ファンを採用し、通常6〜7cmの直径を有する円形の吐出口を有するように構成される。従って、生成された熱風は狭い吐出口を介して愛玩動物の局部(一定面積)にのみ吐き出されるため、ドライヤーをあちこちに動かして乾燥するようになる。これにより、全体的な乾燥時間が長くなるため(通常30〜60分を要する。)、人と愛玩動物が両方とも疲れ、特に呼吸器が弱い愛玩動物は呼吸器疾患にかかりやすくなるという問題もあった。
【０００８】
（４）上記した問題により、飼い主は主に愛玩動物を専門のショップに任せて清潔状態を維持した。しかし、これは周期的に行われるという点を鑑みると、多くの費用がかかる問題があった。
【発明の概要】
【発明が解決しようとする課題】
【０００９】
本発明は、上記のような必要に応じてなされたものであって、愛玩動物の乾燥作業時に風が全身にムラなく吐き出されるようにするとともに、使用者が両手を自由に使用することができ、乾燥作業が容易となるようにした愛玩動物用乾燥装置を提供することを目的とする。
【００１０】
また、本発明は、愛玩動物の乾燥に適切であるように吐出風の温度と風量を制御することができるとともに、特に、早い乾燥が容易となるように豊富な吐出風量を提供する反面、作動騒音は少ない、愛玩動物用乾燥装置を提供することをその他の目的とする。
【課題を解決するための手段】
【００１１】
本発明は、上記のような問題を解消するためになされたものであって、愛玩動物の毛を乾燥するために風を吐き出す愛玩動物用乾燥装置であって、吐出口及び吸入口が形成され、内部に加熱手段が設けられた本体ケースと、前記本体ケース内部に長手方向に沿って設けられ、ファンモータによって回転する横流ファンと、前記本体ケースを一定角度回動させることができる手動ノブが備えられ、前記本体ケースを一定した状態で支持する据置台とを含んでなる愛玩動物用乾燥装置が提供される。
【００１２】
前記手動ノブの一側面には、内部に弾性支持され、外部に一部が露出されたテンションボールが設けられ、前記据置台の一側面には、前記テンションボールが対応して安着されるように多数の係止め溝が一定間隔おきに形成されることができる。
【００１３】
また、愛玩動物の毛を乾燥するために風を吐き出す愛玩動物用乾燥装置であって、送風吐出口と内部に加熱手段が備えられた本体ケースと、前記本体ケースの内部に設けられ、ファンモータによって回転する回転ファンと、前記本体ケースを上下に一定角度回動させることができるように回動支持手段が備えられ、前記本体ケースを一定した状態で支持する据置台とを含んでなる愛玩動物用乾燥装置が提供される。
【００１４】
また、愛玩動物の毛を乾燥するために風を吐き出す愛玩動物用乾燥装置であって、送風吐出口と内部に加熱手段が備えられた本体ケースと、前記本体ケースの内部に設けられ、ファンモータによって回転する回転ファンと、前記本体ケースを上下に一定角度回動させることができるように前記本体ケースの一側面には外部に一部が露出されるようにテンションボールが設けられ、前記テンションボールが対応して安着されるように多数の係止め溝が一定間隔おきに形成された据置台とを含んでなる愛玩動物用乾燥装置が提供される。
【００１５】
前記本体ケースの一端には、前記本体ケースを回動させるように設けられたスイングモータを更に含んでなる。
【００１６】
前記回転ファンは、前記本体ケースの内部に長手方向に沿って設けられて回転するシロッコファンである。
【００１７】
前記回動支持手段は、前記据置台の一側面内部に弾性支持され、外部に一部が露出されたテンションボールが設けられ、前記本体ケースの一側面には前記テンションボールが対応して安着されるように多数の係止め溝が一定間隔おきに形成され、手動で作動されるものである。
【００１８】
前記据置台には、上下高さ、又は左右回転が可能な調節手段が備えられることができる。
【００１９】
前記据置台には、電気的コントロール手段が備えられることができる。
【００２０】
前記据置台は、前記本体ケースを支持し、通風吸入口が備えられたブリッジ据置台と、前記電気的コントロール手段を内臓したフロアー据置台とからなることができる。
【００２１】
前記通風吸入口の前面には、抗菌フィルタが備えられることができる。
【発明の効果】
【００２２】
本発明によると、
（１）広い幅で風を吐き出すことができる回転ファンの利点を用いて愛玩動物の全身(普通の室内犬の場合、30〜40cm)に風をムラなく吐き出すことができ、迅速な乾燥作業が可能であるとともに、長い乾燥時間による人と愛玩動物の疲れを軽減し、更に、愛玩動物が呼吸器疾患にかかるのを事前に防止することができる効果がある。
【００２３】
（２）本発明は床の上に据え置いて使用することができるため、使用者が自由に両手を使って愛玩動物を乾燥させることができ、乾燥作業が容易な効果がある。
【００２４】
（３）本発明は、通常5ワット(W)前後の小型モータを1分当り10,000〜15,000rpmで高速回転させ、超音波を含んだ高い騒音が発生されるヘアドライヤーと比べ、床据え置き用であって、モータの重さにおまり敏感ではないため、40ワット(W)前後のモータを使用して1分当り20,000rpm前後の比較的に低い速度で回転ファンを回転させることにより、騒音を著しく減少させ、愛玩動物が乾燥過程で受けるストレスを減らすことができる効果がある。
【００２５】
（４）本発明は装置の構成を簡素化させ、製品単価を低く抑えることができるため、使用者が負担を持つことなく使用することができる経済的な利点がある。
【図面の簡単な説明】
【００２６】
【図１】本発明の第1実施例による愛玩動物用横流型乾燥装置の構成を示す正面図である。
【図２】本発明の第1実施例による愛玩動物用横流型乾燥装置の作動状態を簡単に示す状態図である。
【図３】本発明の第1実施例による愛玩動物用横流型乾燥装置の構成を示す概略図である。
【図４】本発明の第2実施例による愛玩動物用横流型乾燥装置の構成を示す概略図である。
【図５】本発明の第3実施例による愛玩動物用横流型乾燥装置の構成を示す概略図である。
【図６】図5のA-A部分拡大図である。
【図７】本発明の第4実施例による愛玩動物用乾燥装置の構成を示す状態図である。
【図８】本発明の第4実施例による愛玩動物用乾燥装置の部分断面図である。
【図９】本発明の第4実施例による愛玩動物用乾燥装置の作動状態図である。
【図１０】本発明の第4実施例による愛玩動物用乾燥装置の一部構成を示す概略図である。
【図１１】本発明による愛玩動物用乾燥装置のスイングモータ構成を示す概略図である。
【図１２】本発明による愛玩動物用乾燥装置のテンションボール構成を示す概略図である。
【図１３】本発明による愛玩動物用乾燥装置の左右回転駆動を示す概略図である。
【図１４】本発明の愛玩動物用乾燥装置の据置台の下部面に形成された高さ調節手段を示す概略図である。
【発明を実施するための形態】
【００２７】
以下、本発明の好ましい実施例を図面を参照して詳細に説明する。まず、各図面の構成要素に参照番号を付加することにおいて、同一な構成要素には、たとえ異なる図面上に表示されても、なるべく同一な番号を有するようにしたことに留意しなければならない。
【００２８】
［実施例1］
図1は、本発明の第1実施例による愛玩動物用横流型乾燥装置の構成を示す正面図であり、図2は、本発明の第1実施例による愛玩動物用横流型乾燥装置の作動状態を簡単に示す状態図であり、図3は、本発明の第1実施例による愛玩動物用横流型乾燥装置の構成を示す概略図である。
【００２９】
図示したように、本発明の愛玩動物用横流型乾燥装置は、本体ケース10、横流ファン20、及び据置台30で構成される。
【００３０】
本体ケース10には一側に突出された矩形状の吐出口14が形成される。また、吐出口14の内側には加熱手段12が設けられる。ここで、吐出口14と加熱手段12との間には一定サイズの異物質が流入されるのを防止するように、吐出口グリル13が設けられる。また、吐出口14には保管時に塵のような微細な異物質が流入されるのを防止するように、吐出口カバー16が吐出口14の入り口にヒンジ結合されるが、ヒンジ連結部にはねじりバネを介在して自動開放されるように構成することが好ましい。これに加え、本体ケース10の外側には把持時に容易であるように取っ手15が設けられる。また、空気が容易に吸入されるように、多数の吸入口17が一定面積だけ形成される。そして、吸入口17には着脱自在に異物質吸入防止用フィルタが装着される。
【００３１】
横流ファン20は、本体ケース10の内部に長手方向に沿って設けられる。即ち、横流ファン20は長手方向の一定幅だけ風を吐き出す作用をする。横流ファン20の一軸は、本体ケース10に回転可能に軸受け(図面番号なし)を介して結合される。なお、横流ファン20の他軸はファンモータ22に連結され、ファンモータ22の駆動力により横流ファン20が回転される。また、ファンモータ22には無段変速制御手段が連結される。これにより、使用者が横流ファン20の回転速度を細密に調整することができる。ここで、無段変速制御手段は制御部50とファンモータ22との間に構成された通常の無段変速制御回路が構成されてなる。即ち、使用者により入力された可変抵抗値によってファンモータ22の回転を可変させ、横流ファン20の回転数を無段制御することができる。また、他の手段として、制御用マイコムに入力されたプログラムによってアップ(up)又はダウン(down)ボタンを押すごとに微細に回転数を制御することができるデジタル方式の制御装置であることもある。これにより、愛玩動物の特性に応じて風の強さを適正に調節することができる。一方、このように本発明の乾燥装置に横流ファン20を採用することによって、一定長さ(長手方向)を有する吐出口14を通して風を均一な強さで吐き出すことができる。従って、乾燥作業時に愛玩動物の全身に風が均一に吹き出されることにより、乾燥効率を高め、迅速な乾燥作業が可能になる。
【００３２】
据置台30には、本体ケース10の一端が回転可能に軸受け(図示番号なし)を介して結合される。なお、本体ケース10の他端は据置台30に固定されたスイングモータ40に連結され、本体ケース10が一定角度回動されるようにする。ここで、スイングモータ40及びファンモータ22にはモータカバー45が設けられることが好ましい。一方、据置台30の下部には、スイングモータ40とファンモータ22の制御のための制御部50が設けられる。
【００３３】
ここで、制御部50には使用者が遠距離で自由に調整することができるように、遠隔制御部60(図1参照)を設けることができる。ここで、遠隔制御部60には通常の有無線制御機が適用される。
【００３４】
このような構成を有する本発明の第1実施例による愛玩動物用横流型乾燥装置の作用及び効果について説明すると、次のようである。 
【００３５】
まず、本発明の乾燥装置に電源が供給されると、本体ケース10内で横流ファン20が駆動される。これにより、吐出口14を通して、制御部50の操作により自然風又は温風が吐き出される。一方、ファンモータ22に固定されて回転している横流ファン20を囲むとともに吸入口17と吐出口14とを有する本体ケース10のみをスイングモータ40を通して一定角度だけ繰り返して回動させる。
【００３６】
具体的に、図2のように本体ケース10の回動角度(θs)は、愛玩動物の全身に温風が吐き出されるように一定角度の範囲で繰り返して回動される。ここで、使用者の任意により適正角度で本体ケース10を固定させて使用することができるのは勿論である。
【００３７】
このように一定範囲内で温風の吐出角度を固定するか、自動で回動させることができ、使用者は一手で愛玩動物を取って、もう一つの手でブラシのような道具を用いて愛玩動物の毛髪(毛)を整理することができる。
【００３８】
ここで、スイングモータ40によって一定角度回動するようにする手段として、低速回転(好ましくは、4〜6rpm)の減速モータを電気的信号で繰り返して正/逆回転させるか、駆動カムや歯車の組み合わせで所定の区間を繰り返して回動させることができる。このように駆動されるスイングモータ40により本体ケース10が一定角度回動されるようになり、使用者は両手を使って愛玩動物を乾燥させることができて乾燥作業が容易であり、乾燥時間を短縮させることができる。言い換えると、広い面積に送風されるように、本発明はスイングモータ40を通して本体ケース10を回動させ、風の吐出角度を自動で調整するように駆動されるものである。
【００３９】
これは、通常の室内用冷暖房機に適用される風向調整方式とは構成及び作用において明確な差異がある。即ち、従来の冷暖房機に適用される風向調整方式は、吐出口にダンパーグリル(又はブレード)を設け、前記ダンパーグリルを上下に動かして吐き出される風が前記ダンパーグリルに突き当たって方向が調整される方式であって、吐き出される風圧が減衰され、騒音が発生する問題があった。その反面、本発明の乾燥装置の風向調整方式は、スイングモータ40を通して本体ケース10自体が一定角度回動し、吐出風を自動で調整するものであって、吐出風の風圧が減衰されるのを防止するとともに騒音が発生するのを防止することができる。このように、本発明においてスイングモータ40を採用して風向を調整する構造に製作が可能な理由は、小サイズの愛玩動物用で、通常の冷暖房機より小型化させて製作することができるためである。
【００４０】
以下、本発明の他の実施例を図面を参照して説明すると、次のようである。
【００４１】
図4は、本発明の第2実施例による愛玩動物用横流型乾燥装置の構成を示す概略図であり、図5は、本発明の第3実施例による愛玩動物用横流型乾燥装置の構成を示す概略図であり、図６は、図5のA-A部分拡大図である。
【００４２】
図4のように、本発明の第2実施例はファンモータ22を本体ケース10の内部に位置するように構成する。このように構成することにより、装置外形をより単純な形態に製作することもできる。
【００４３】
図5及び図6のように、本発明の第3実施例は前述した第1実施例の本体ケース10を回動させるスイングモータ40の代わりに、手動ノブ70が設けられる。ここで、図面には示されていないが、前述した第2実施例のようにファンモータ22を本体ケース10内に位置するように構成することができるのは勿論である。
【００４４】
手動ノブ70は、使用者が容易に把持できるサイズに形成され、本体ケース10の一端に固定される。具体的に、図6のように手動ノブ70の一側面には、内部にバネ74で弾性支持され、外部に一部が露出されたテンションボール72が設けられ、据置台30の一側面には、テンションボール72が対応して安着されるように多数の係止め溝32が一定間隔おきに形成される。このような構成により、使用者は愛玩動物の乾燥時に所望の方向に手動ノブ70を回転させて風の吐出角度を合わせると、テンションボール72が係止め溝32に安着され、一定角度に吐出口14の方向が固定される。
【００４５】
即ち、手動ノブ70は使用者が任意の角度で吐出口14の方向を固定させて使用することができるものである。従って、部品が簡素化され、製品単価を低く抑えることができるとともに愛玩動物の全身だけでなく、足のような局部を集中的に乾燥させることもできる。
【００４６】
また、据置台30には、上下高さの調節が可能な高さ調節手段が備えられ、愛玩動物のサイズに合わせて装置の高さ(即ち、吐出口の高さ)を調節することができるのは勿論である。即ち、据置台30の底面に折り畳み式脚部を設けて、必要に応じて前記折り畳み式脚部を折り畳むか、広げて、愛玩動物のサイズに合わせて高さ調節が可能であるようにした。
【００４７】
なお、本集発明は床の上に据え置きて使用することができ、作動音が著しく小さい中型以上のモータを採用することができる。しかし、このようなモータでも作動音の発生を源から防止することはできない。従って、前記作動音に敏感な特定愛玩動物のために別途メロディー発生装置を制御部50に内臓することができる。前記メロディー発生装置は公知のもので、主に音楽感想や音楽治療の用途で使用される装置である。従って、乾燥過程において自然の音のような安定的音楽を聞かせることにより、作動音に対するストレスを最小化することができるように構成される。
【００４８】
［実施例２］
図７は、本発明の第4実施例による愛玩動物用乾燥装置の構成を示す状態図、図８は、本発明の第4実施例による愛玩動物用乾燥装置の部分断面図、図９は、本発明の第4実施例による愛玩動物用乾燥装置の作動状態図、図１０は、本発明の第4実施例による愛玩動物用乾燥装置の一部構成を示す概略図、図１１は、本発明による愛玩動物用乾燥装置のスイングモータ構成を示す概略図、図１２は、本発明による愛玩動物用乾燥装置のテンションボール構成を示す概略図、図１３は、本発明による愛玩動物用乾燥装置の左右回転駆動を示す概略図、及び図１４は、本発明の愛玩動物用乾燥装置の据置台の下部面に形成された高さ調節手段を示す概略図である。
【００４９】
図示したように、本発明の愛玩動物用乾燥装置は、本体ケース10、回転ファン20、及び据置台30で構成される。ここで、据置台30は更に区分して、ブリッジ据置台31とフロアー据置台32とで構成される。
【００５０】
本体ケース10には一側に突出された一種の矩形状の吐出口22が形成される。また、吐出口22の内側には加熱手段12が設けられる。ここで、吐出口22と加熱手段12との間には一定サイズの異物質が流入されるのを防止するように、吐出口グリル13が設けられる。また、吐出口22には保管時に塵のような微細な異物質が流入されるのを防止するように、吐出口カバー16が吐出口22の入り口にヒンジ結合されるが、ヒンジ連結部にはねじりバネを介在して自動開放されるように構成することが好ましい。これに加え、本体ケース10の外側には、使用者が本発明乾燥装置を移動させる場合に容易であるように取っ手15が設けられる。また、空気が容易に吸入されるように、多数の吸入口17(図10参照)が一定面積だけ形成される。そして、吸入口17には着脱自在に異物質吸入防止用の抗菌フィルタ19が装着される。
【００５１】
図8を参照すると、回転ファン20は、遠心型ファンであるシロッコファン(Sirocco Fan；多翼型ファン)や軸流型ファンで、吸入は軸方向でし、排出は軸直角方向にする方式が採用されることもでき、横流ファン(cross flow fan)が採用され、風の吸入/排出方向を軸直角方向のうち、使用者が望む方向に適用することもできる。
【００５２】
従って、本発明の一実施例において回転ファン20は、本体ケース10の内部に長手方向に沿って設けられるシロッコファン(Sirocco Fan)が適用される。即ち、回転ファン20は一定幅だけ冷温風を吐き出す作用をする。ここで、冷風は、自然風、即ち、ヒータ装置を使用しない時に吐き出される風向のことである。回転ファン20の一軸は、本体ケース10に回転可能に軸受け(図面番号なし)を介して結合される。なお、図8において横流ファン20の他軸はファンモータ21に連結され、ファンモータ21の駆動力により回転ファン20が回転される。また、ファンモータ21には無段変速制御手段が連結される。これにより、使用者が回転ファン20の回転速度を細密に調整することができる。ここで、無段変速制御手段は制御部50とファンモータ21との間に構成された通常の無段変速制御回路が構成されてなる。即ち、使用者により入力された可変抵抗値によってファンモータ21の回転を可変させ、回転ファン20の回転数を無段制御することができる。また、他の手段として、制御用マイコムに入力されたプログラムによってアップ(up)又はダウン(down)ボタンを押すごとに微細に回転数を制御することができるデジタル方式の制御装置であることもある。これにより、愛玩動物の特性に応じて風の強さを適正に調整することができる。一方、このように本発明の乾燥装置に回転ファン20を採用することによって、一定長さ(長手方向)を有する吐出口22を通して風を均一な強さで吐き出すことができる。従って、乾燥作業時に愛玩動物の全身に風が均一に吹き出されることにより、乾燥効率を高め、迅速な乾燥作業が可能になる。
【００５３】
一方、図11を参照して据置台30を更に詳細に表現すると、ブリッジ据置台 31には、本体ケース10の一端が回転可能に軸受け(図示番号なし)を介して結合される。なお、本体ケース10の他端はブリッジ据置台 31に固定されたスイングモータ40に連結され、本体ケース10が一定角度回動されるようにする。
【００５４】
また図7を参照すると、据置台30の下部、更に詳細に説明すると、フロアー 据置台32には、スイングモータ40とファンモータ21の制御のための制御部50が設けられる。ここで、制御部50には使用者が遠距離で自由に調整することができるように、遠隔制御部60を設けることができる。ここで、遠隔制御部60には通常の有無線制御機が適用される。
【００５５】
このような構成を有する本発明による愛玩動物用乾燥装置の作用及び効果について説明すると、次のようである。 
【００５６】
まず、本発明の乾燥装置に電源が供給されると、本体ケース10内で回転ファン20が駆動される。これにより、制御部50の操作によって吐出口22に冷風(自然風)又は温風が吐き出される。一方、ファンモータ21に固定されて回転している回転ファン20を囲むとともに吐出口22又は吸入口を有する本体ケース10をスイングモータ40が一定角度だけ繰り返して上下に回動させる。一方、前記吸入口のみ別途に据置台30に構成することもできる。
【００５７】
具体的に、図9のように本体ケース10の回動角度(θs)は、愛玩動物の全身に温風が吐き出されるように一定角度の範囲で繰り返して回動される。ここで、使用者は前記本体ケース10の一部を把持して本体ケース10を適正角度に固定させ、手動でも使用することができるのは勿論である。即ち、本体ケース10は適正吐出角度範囲で繰り返して回動することができるとともに一定角度に固定させることができる。
【００５８】
このように一定範囲内で本体ケース10の吐出角度を手動で固定するか、自動で回動させることができ、使用者は一手で愛玩動物を取って、もう一つの手でブラシのような道具を把持して愛玩動物の毛髪(毛)を整理することができる。
【００５９】
ここで、前記本体ケース10を上下に一定角度回動するようにする手段として、低速回転(好ましくは、4〜6rpm)の減速モータを電気的信号で繰り返して正/逆回転させるか、駆動カムや歯車の組み合わせで所定の区間を繰り返して回動させることができる。このように駆動されるスイングモータ40によって本体ケース10が一定角度回動されるようになり、使用者は両手を使って愛玩動物を乾燥させることができる。これにより、乾燥作業が容易であり、乾燥時間を短縮させることができる。言い換えると、広い面積に送風されるように、本発明はスイングモータ40を通して本体ケース10を回動させ、風の吐出角度を自動で調整するものである。
【００６０】
一方、上記で言及した使用者が前記本体ケース10を自動で駆動せず、手動で駆動する場合、前記本体ケース10の一部を把持して本体ケース10を上下に、適正角度に固定させ、手動で使用することができるのは勿論である。また、手動で駆動する場合、別途手動ノブ(図面番号なし)を本体ケース10の一端に構成して使用者が容易に把持することができる。
【００６１】
図12のように前記本体ケース10を手動で操作することができる回動支持手段は、前記本体ケース10の一側面内部にバネ74で弾性支持され、外部に一部が露出されたテンションボール72が設けられ、ブリッジ据置台31の一側面にはテンションボール72が対応して安着されるように、多数の係止め溝73が一定間隔おきに形成される。上記のような構成で、使用者は、愛玩動物の乾燥時に所望の方向に前記本体ケース10の一部を把持して回動するか、別途手動ノブを備え、回転させて吐出角度を合わせると、テンションボール72が係止め溝73に安着され、一定角度に吐出口22の方向が固定される。
【００６２】
即ち、前記本体ケース10を使用者が任意の角度に調整し、吐出口22の方向を固定して使用することができるのである。従って、部品が簡素化され、製品単価を低く抑えることができて、愛玩動物の全身だけでなく、足のような局部を集中的に乾燥させることもできる。このように、本体ケース10を回動させるための回動支持手段に手動及び自動方式の構成が採用され、使用者の選択により自動と手動を転換して使用することができるのである。
【００６３】
前記据置台30は、前記本体ケース10を支持し、通風吸入口22が備えられたブリッジ据置台31と、電気的コントロール手段を内臓したフロアー据置台32とからなる。
【００６４】
一方、図13を参照すると、据置台30は、ブリッジ据置台31又はフロアー据置台32の何れか一つが据え置かれる底面に対して据え置く際に、左右に一定角度の範囲内で回動されるように、モータ30などの電気駆動装置による一定角度左右反復回動と、手動で使用者が望む角度に左右駆動されるように、公知された一般的な駆動手段で構成されることができる。
【００６５】
本発明乾燥装置の左右回転のための更に他の実施例において、図11のように 据置台の左右手動駆動方式は、上述したフロアー据置台32の一側面にバネで支持され、外部に一部が露出されたテンションボールが備えられ、前記テンションボールが対応するようにフロアー据置台32の外部一側面には多数の係止め溝が一定間隔おきに形成される。
【００６６】
なお、図13にように据置台30には、ブリッジ据置台31又はフロアー据置台32が据え置かれる底面に対し、上下高さの調節が可能な高さ調節手段が備えられ、愛玩動物のサイズに合わせて装置の高さ(即ち、吐出口22の高さ)を調節することができ、更に他の構成として、フロアー据置台32の底面に折り畳み式脚部90を設けて、必要に応じて前記折り畳み式脚部90を折り畳むか、広げて、愛玩動物のサイズに合わせて高さ調節が可能であるようにした。前記ブリッジ据置台31とフロアー据置台は、一体32に構成されることもできる。
【００６７】
一方、図10を参照すると、本発明は通風吸入口17の前面に機能性抗菌フィルタ19が交換可能に装着されるように、別途吸入口カバー18を備えることができる。これにより、装置が劣悪な環境で使用される場合、回転ファンの回転により外部空気が本発明の乾燥装置内部に吸入される際に異物質などが吸入されるのを防ぎ、良質の風を吐き出すことができる。
【産業上の利用可能性】
【００６８】
以上では本発明を特定の好ましい実施例について図示し、説明したが、本発明は上述した実施例にのみ限定されるのではなく、本発明の属する技術分野で通常の知識を有する者なら、特許請求範囲に記載された本発明の技術的思想の要旨を逸脱しない範囲でいくらでも多様に変更して実施することができる。
【図１】
2011504109.tif 000003
【図２】
2011504109.tif 000004
【図３】
2011504109.tif 000005
【図４】
2011504109.tif 000006
【図５】
2011504109.tif 000007
【図６】
2011504109.tif 000008
【図７】
2011504109.tif 000009
【図８】
2011504109.tif 000010
【図９】
2011504109.tif 000011
【図１０】
2011504109.tif 000012
【図１１】
2011504109.tif 000013
【図１２】
2011504109.tif 000014
【図１３】
2011504109.tif 000015
【図１４】
2011504109.tif 000016
【国際調査報告】
2011504109.tif 000017
2011504109.tif 000018